(57)【要約】【課題】携帯に適したペン型テープ収納具或いはペン型テープディスペンサーを提供する。【解決手段】  筒軸方向Ａに長いテープ収納用筒壁８の一側に前記筒軸方向Ａに延びるテープ排出用のスリット１２を形成させてなる軸筒６と、この軸筒６の端部１０を閉塞する閉塞部材２０とからなり、前記軸筒６は、前記テープ収納用筒壁８の外側に、前記スリット１２に沿って、当該スリット１２に離れるに従って側外方へ膨らむ膨出部１４を設ける。この膨出部１４の側外面を、前記スリット１２から前記軸筒６の筒径方向Ｒに対する斜め外方へ延びるテープ案内用斜面１５に形成するとともに、このテープ案内用斜面１５の先端部１５ｂと前記テープ収納用筒壁８の外表面との間に段差面１７を形成させる。また前記テープ案内用斜面１５の先端部１５ｂにカッターＣを付設する。【選択図】図１
2019210121.tif 000002
【特許請求の範囲】
【請求項１】
筒軸方向(Ａ)に長くかつ当該筒軸方向の端部(１０)の一方又は双方を開口端部とするテープ収納用筒壁(８)を有し、このテープ収納用筒壁(８)の一側に前記筒軸方向(Ａ)に延びるテープ排出用のスリット(１２)を形成させてなる軸筒(６)と、
この軸筒(６)の端部(１０)を閉塞する閉塞部材(２０)とを具備する
ペン型テープ収納具であって、
前記軸筒(６)は、前記テープ収納用筒壁(８)の外側に、前記スリット(１２)に沿って、当該スリット(１２)に離れるに従って側外方へ膨らむ膨出部(１４)を設け、かつ、この膨出部(１４)の側外面を、前記スリット(１２)から前記軸筒(６)の筒径方向(Ｒ)に対する斜め外方へ延びるテープ案内用斜面(１５)に形成するとともに、このテープ案内用斜面(１５)の先端部(１５ｂ)と前記テープ収納用筒壁(８)の外表面との間に段差面(１７)を形成させてなる、
ことを特徴とする、ペン型テープ収納具。
【請求項２】
前記テープ案内用斜面(１５)の先端部(１５ｂ)にカッター(Ｃ)を付設したことを特徴とする、請求項１に記載のペン型テープ収納具。
【請求項３】
前記軸筒(６)は、両端開放の筒体に形成するとともに、この軸筒(６)のうちの少なくとも両端部(１０)を同径に形成し、
前記閉塞部材(２０)として、前記軸筒(６)の両端部(１０)のどちらにも着脱自在に嵌合できる一対の閉塞具を設け、かつ、
これら一対の閉塞具の一方を、前記軸筒(６)の端部(１０)を閉塞する蓋体(２０Ａ)に形成するとともに、一対の閉塞具の他方を、軸筒(６)に嵌合させた状態で前記蓋体(２０Ａ)よりも軸筒(６)の筒軸方向に長いグリップ部材(２０Ｂ)に形成したことを特徴とする、請求項１又は請求項２に記載のペン型テープ収納具。
【請求項４】
請求項１から請求項３の何れかに記載したペン型テープ収納具(４)と、当該ペン型テープ収納具(４)の軸筒(６)内に収納されたロールテープ(３０)とを具備するテープディスペンサーであって、
前記ロールテープ(３０)は、軸部(３２)の回りにテープ(３６)を巻き付けてなるとともに、このテープ(３６)の少なくとも一面に粘着面(４０)を形成し、
前記ロールテープ(３０)からスリット(１２)を経由して外方へ巻き出されたテープ(３６)の粘着面(４０)が前記テープ案内用斜面(１５)と向かい合うように前記ロールテープ(３０)を前記軸筒(６)内に収納させたことを特徴とするテープディスペンサー。
【発明の詳細な説明】
【技術分野】
【０００１】
本発明は、ペン型テープ収納具及びペン型テープディスペンサーに関する。
【背景技術】
【０００２】
近年、付箋の連続体を巻いてなるロールテープとして商品化することが行われている。
こうしたロールテープは、ロールテープを送り出すための回転機構（ローラーやネジ）とともに矩形箱型の容器に収納されたり（特許文献１）、先端が細く基部が太い液滴形状箱型のカッター本体に収納されている（特許文献２の図７参照）。
【先行技術文献】
【特許文献】
【０００３】
【特許文献１】特開２００６−３５４７１
【特許文献２】特開２００８−１７９１６２
【発明の概要】
【発明が解決しようとする課題】
【０００４】
特許文献１〜２の収納具は、ロールテープの形態に合わせて箱型の本体に収納しているが、こうした形状であると嵩張るため、その収納具自体を例えば筆箱に入れたり、衣服のポケットに入れて携帯することが困難であった。
【０００５】
付箋及び各種テープ状物は、いざ使おうとするときにそれが見当たらないと不便である。例えば乗り物に乗っているときに書籍に付箋でマーキングしようとしても、手元にないので、そのマーキング作業を後回しにし、結局、マーキング作業を失念してしまったり、或いはマーキングすべき箇所が判らなくなったりして、非常に不効率である。
また特許文献１の収納具では、容器の吐出口からテープで巻き出して切り取るときに、ハサミで切断するか、手で千切る必要があった。ハサミで切断する場合には、予めハサミを用意しなければならず、周囲にハサミが見当たらずに面倒な思いをすることがある。また手でテープを千切るときには、千切った箇所で見栄えが悪くなったり、利用者が切断しようとした箇所と実際に切断された箇所との間にずれを生じ、所要の長さのテープを切り取ることができない可能性があった。
さらに吐出口のすぐ近くでテープが切れると、次にテープを引き出す際に、
（イ）吐出口から突出されたテープ部分の長さが、指で摘まむのに必要な長さ（摘み代という）未満であるために、ローラを回転操作する必要があり、面倒である
（ロ）回転機構が不意に逆回転することにより、テープの先端部が容器内に落ち込み、摘み操作が不可能になる
などの不都合を生ずるおそれがあった。
【０００６】
本出願人はこの問題を鋭意検討し、前記軸筒の外側に前記スリットに隣接して、テープを切断するのに有利な構造（テーパ案内斜面及び段差面、或いはこれら両面及びカッター）を含む部位（膨出部）を設けるというアイディアを着想した。
しかしながら、前記スリットの片側を設けると、テープディスペンサーのグリップ箇所との関係で右手利きの利用者及び左手利きの利用者の一方に扱いにくくなってしまう可能性がある。
【０００７】
本発明の第1の目的は、ペン型テープ収納具或いはペン型テープディスペンサーであって、携帯に適したものを提供することである。
本発明の第２の目的は、テープを切り取ることが容易なペン型テープ収納具或いはペン型テープディスペンサーを提供することである。
本発明の第３の目的は、右手利きの利用者及び左手利きの利用者のどちらにも扱い易いペン型テープ収納具或いはペン型テープディスペンサーを提供することである。
【課題を解決するための手段】
【０００８】
第１の手段は、ペン型テープ収納具であり、
筒軸方向Ａに長くかつ当該筒軸方向の端部１０の一方又は双方を開口端部とするテープ収納用筒壁８を有し、このテープ収納用筒壁８の一側に前記筒軸方向Ａに延びるテープ排出用のスリット１２を形成させてなる軸筒６と、
この軸筒６の端部１０を閉塞する閉塞部材２０とを具備する
ペン型テープ収納具であって、
前記軸筒６は、前記テープ収納用筒壁８の外側に、前記スリット１２に沿って、当該スリット１２に離れるに従って側外方へ膨らむ膨出部１４を設け、かつ、この膨出部１４の側外面を、前記スリット１２から前記軸筒６の筒径方向Ｒに対する斜め外方へ延びるテープ案内用斜面１５に形成するとともに、このテープ案内用斜面１５の先端部１５ｂと前記テープ収納用筒壁８の外表面との間に段差面１７を形成させてなる。
【０００９】
本手段では、図１及び図２に示すように、筒軸方向Ａに長いテープ収納用筒壁８を有する軸筒６の端部を閉塞部材２０で閉塞するとともに、前記テープ収納用筒壁８の一側に前記筒軸方向Ａに延びるテープ排出用のスリット１２を形成させ、前記軸筒６は、前記テープ収納用筒壁８の外側に、前記スリット１２に沿って、当該スリット１２に離れるに従って側外方へ膨らむ膨出部１４を設けている。そして、この膨出部１４の側外面を、前記スリット１２から前記軸筒６の筒径方向Ｒに対する斜め外方へ延びるテープ案内用斜面１５に形成し、さらにこのテープ案内用斜面１５の先端部１５ｂと前記テープ収納用筒壁８の外表面との間に段差面１７を形成させている。従ってこの段差を利用して、前記スリット１２から引き出したテープ３６を容易に切断することができる。
図示例では、テープ案内用斜面１５の先端部１５ｂにカッターＣが付設されているが、こうしたカッターＣが無くても、テープ３６が比較的薄いときには、引き出されたテープ３６のスリット寄りの半部を、テープ案内用斜面１５の上に載せて当該斜面に圧接させて状態で、前記引き出されたテープ３６の先端側を筒径方向Ｒ内側へ引っ張ることで容易に切断できる。またテープ３６の幅方向に切り離し線（図示せず）を設けている場合には、当該切り離し線を前記テープ案内用斜面１５の先端部１５ｂに当ててテープ３６の先端側を筒径方向Ｒ内側へ引っ張ることで破断させることができる。
「テープ案内用斜面」とは、スリット１２から引き出されたテープ３６を、テープの破断場所（前記段差面１７の形成箇所）に導くための傾斜面である。
【００１０】
「ペン型」とは、例えば鉛筆・万年筆のように細長い形状をいう。
「軸筒」は、図示例では両端開口の筒体であるが、一方開口のものでも構わない。
「閉塞部材」は、図示例では、軸筒６の両端部１０をそれぞれ閉塞する一対の閉塞具としているが、軸筒が一方開口のものであるときには、その開口された一方の端部１０を閉塞する一つの閉塞具とすると良い。
【００１１】
第２の手段は、第１の手段を有し、かつ
前記テープ案内用斜面１５の先端部１５ｂにカッターＣを付設した。
【００１２】
本手段では、図２に示すように、テープ案内用斜面１５の先端部１５ｂにカッターＣを付設している。従ってカッターＣを利用して容易にテープ３６を切断することができる。
【００１３】
第３の手段は、第１の手段又は第２の手段を有し、かつ
前記軸筒６は、両端開放の筒体に形成するとともに、この軸筒６のうちの少なくとも両端部１０を同径に形成し、
前記閉塞部材２０として、前記軸筒６の両端部１０のどちらにも着脱自在に嵌合できる一対の閉塞具を設け、かつ、
これら一対の閉塞具の一方を、前記軸筒６の端部１０を閉塞する蓋体２０Ａに形成するとともに、一対の閉塞具の他方を、軸筒６に嵌合させた状態で前記蓋体２０Ａよりも軸筒６の筒軸方向に長いグリップ部材２０Ｂに形成した。
【００１４】
本手段では、前記軸筒６は、両端開放の筒体である軸筒６のうちの少なくとも両端部１０を同径に形成し、前記軸筒６の両端部１０のどちらにも着脱自在に嵌合できる一対の閉塞具の一方を、前記軸筒６の端部１０を閉塞する蓋体２０Ａに形成するとともに、一対の閉塞具の他方を、軸筒６に嵌合させた状態で前記蓋体２０Ａよりも軸筒６の筒軸方向に長いグリップ部材２０Ｂに形成している。
この構成は、軸筒６を右手仕様及び左手仕様として兼用する上で有利である。図６（Ａ）及び図６（Ｂ）に示す如く、軸筒６に対する蓋体２０Ａ及びグリップ部材２０Ｂの位置を変えるだけでどちらの仕様にも対応出来るからである。
【００１５】
第４の手段は、第１の手段から第３の手段の何れかに記載したペン型テープ収納具４と、当該ペン型テープ収納具４の軸筒６内に収納されたロールテープ３０とを具備するテープディスペンサーであって、
前記ロールテープ３０は、軸部３２の回りにテープ３６を巻き付けてなるとともに、このテープ３６の少なくとも一面に粘着面４０を形成し、
前記ロールテープ３０からスリット１２を経由して外方へ巻き出されたテープ３６の粘着面４０が前記テープ案内用斜面１５と向かい合うように前記ロールテープ３０を前記軸筒６内に収納させた。
【００１６】
本手段は、前記ペン型テープ収納具４内に収納されたロールテープ３０から前記スリット１２を介して巻き出されたテープ３６の一面に形成された粘着面４０が前記テープ案内用斜面１５と向かい合うように形成したものである。こうすることにより、前記段差を利用してテープ３６を切り取った後に、切断箇所よりもスリット１２寄りのテープ部分を、前記テープ案内用斜面１５に粘着させることができる。この状態でテープ案内用斜面１５は、テープ貼付面としての役割を果たし、ロールテープ３０の不意の逆転により、残されたテープ３６がスリット１２を経て軸筒６内部へ落ち込んでしまうことを防止できる。
【発明の効果】
【００１７】
第１の手段に係る発明によれば、軸筒６のテープ収納用筒壁８の一側に筒軸方向Ａに延びるテープ排出用のスリット１２を形成するとともに、前記テープ収納用筒壁８の外側に、前記スリット１２に沿って、当該スリット１２に離れるに従って側外方へ膨らむ膨出部１４を設け、かつ、この膨出部１４の側外面を、前記スリット１２から前記軸筒６の筒径方向Ｒに対する斜め外方へ延びるテープ案内用斜面１５に形成するとともに、このテープ案内用斜面１５の先端部１５ｂと前記テープ収納用筒壁８の外表面との間に段差面１７を形成させたから、この段差を利用してテープを容易に切断することができる。
第２の手段に係る発明によれば、前記テープ案内用斜面１５の先端部１５ｂにカッターＣを付設したから、テープ３６の切断がより容易となる。
第３の手段に係る発明によれば、前記軸筒６は、両端開放の筒体に形成するとともに、この軸筒６のうちの少なくとも両端部１０を同径に形成し、前記閉塞部材２０として、前記軸筒６の両端部１０のどちらにも着脱自在に嵌合できる一対の閉塞具を設け、かつ、これら一対の閉塞具の一方を、前記軸筒６の端部１０を閉塞する蓋体２０Ａに形成するとともに、一対の閉塞具の他方を、軸筒６に嵌合させた状態で前記蓋体２０Ａよりも軸筒６の筒軸方向に長いグリップ部材２０Ｂに形成したから、同じ軸筒６を使いながら、利用者が蓋体２０Ａとグリップ部材２０Ｂとを入れ替えることにより、右手仕様と左手仕様とを変更することができるから、利便性が高まる。
第４の手段に係る発明によれば、ロールテープ３０からスリット１２を経由して外方へ巻き出されたテープ３６の粘着面４０が前記テープ案内用斜面１５と向かい合うように前記ロールテープ３０を前記軸筒６内にさせたから、必要長さのテープ３６をカッターＣで切り取った後に、スリット１２から外方へ巻き出された残りのテープ部分をテープ案内用斜面１５に粘着させて留めるができるので、次のテープ切り取り作業が容易となる。
【図面の簡単な説明】
【００１８】
【図１】本発明の実施形態に係るペン型テープディスペンサーの側面図である。
【図２】図１のペン型テープディスペンサーの斜視図である。
【図３】図１のペン型テープディスペンサーの分解斜視図である。
【図４】図１のペン型テープディスペンサーの要部拡大図であり、同図（Ａ）は要部を一方側から見た図、同図（Ｂ）は当該要部を反対側から見た図である。
【図５】図１のペン型テープディスペンサーの使用状態を、筒軸方向から見た説明図であり、同図（Ａ）はテープを巻き出す作業の様子を示しており、同図（Ｂ）はテープの巻出し作業中に利用者が軸筒６を強く握ることで軸筒６が圧搾される現象を防止する作用を示している。
【図６】図１のペン型テープディスペンサーの使用状態を側方から見た説明図であり、同図（Ａ）は、右手仕様での使用状態を、同図（Ｂ）は、左手仕様での使用状態をそれぞれ示すものである。
【発明を実施するための最良の形態】
【００１９】
図１から図６は、本発明の実施形態に係るペン型テープディスペンサー２を示す。このペン型テープディスペンサー２は、ペン型テープ収納具４と、ロールテープ３０とで構成される。
【００２０】
ペン型テープ収納具４は、軸筒６と、閉塞部材２０とで構成されている。これら各部品は例えば合成樹脂で形成することができる。
【００２１】
前記軸筒６は、ペン型テープ収納具４の本体を構成する部材であり、筒軸方向Ａに延びるスリット１２を穿設したテープ収納用筒壁８を有し、このテープ収納用筒部８の外側に膨出部１４を付設してなる。この膨出部１４に関しては後述する。
【００２２】
前記テープ収納用筒壁８は、筒径に比べて長い筒軸ａを有する。
また図示例では、前記テープ収納用筒壁８の外形は、ペンのように細長い棒状であり、筒軸方向の全長に亘って一定の径を有することが望ましい。テープ収納用筒壁８は、ロールテープを透視し易いように透明材料で形成することができる。
また図示例では、テープ収納用筒壁８は、円筒状であるが、特にこの形態に限定される必要はない。もっとも、テープ収納用筒壁８の筒孔９の断面を、円形又は円が内接可能な正多角形とすると、ロールテープを収納したときにテープ収納用筒壁８内部に無駄な空間（デットスペース）ができにくい。
また図示例では、前記テープ収納用筒壁８の筒軸方向の両端部１０を、後述の閉塞具を嵌合させるための小外径部に形成しており、これら小外径部の外面には、図４に示す如く、周方向に長い圧接リブ１１を突設している。
さらに図示例では、前記テープ収納用筒壁８は、筒軸方向Ａの両端部１０を開口する筒体として、どちらの端部１０も後述のロールテープを挿入できるように設けている。もっともロールテープの挿入口はテープ収納用筒壁８のどちらかの端部１０に開口すれば足り、他方の端部を閉塞する端板をテープ収納用筒壁８と一体に形成しても構わない。
【００２３】
前記テープ収納用筒壁８の一側には、筒軸方向Ａに平行にテープ吐出口であるスリット１２が形成されている。このスリット１２は、テープ収納用筒壁８の少なくとも一方の端部１０において、筒軸方向外方へ開口するように形成するとよい。このような構成することにより、前記一方の端部１０からテープ収納用筒壁８内へロールテープ３０を挿入する際に、ロールテープ３０から引き出されたテープ３６を前記スリット１２内へ挿入させることがきる。そうすることで、テープ収納用筒壁８内へロールテープ３０を収納する作業と、ロールテープ３０から引き出したテープを前記スリット１２に挿通させる作業とを同時に行うことができる。図示例のスリット１２は、テープ収納用筒壁８の筒軸ａの全長に亘って形成され、その両端で外方へ開口されている。
スリット１２の一方孔縁ｂ１と他方孔縁ｂ２との間の隙間は、図５（Ａ）に示す如く、テープ３６の厚みに比べて十分に大きくとることが望ましい。
【００２４】
閉塞部材２０は、前記軸筒６の両端部（第１端部１０ａ及び第２端部１０ｂという）にそれぞれ嵌合された一対の閉塞具として形成されている。これら閉塞具は、前記第１端部１０ａ及び第２端部１０ｂのどちらにも適宜嵌合することができる。
前記閉塞具は、軸筒６の各端部を閉塞できればどのような構造でもよい。好適な図示例では、一方の閉塞具を、端壁２２ａの外周から短周壁２４ａを突設してなる蓋体２０Ａに、また他方の閉塞具を、端壁２２ｂの外周から長周壁２４ｂを突設してなるグリップ部材２０Ｂにそれぞれ形成している。これらの作用については後述する。
【００２５】
ロールテープ３０は、軸部３２の回りにテープ３６を巻き付けることで構成される。本実施形態では、軸部３２を、軸孔３４を有する両端開口の筒体としている。
本実施形態では、前記ロールテープ３０をテープ収納用筒壁８内に回動可能に挿入しているが、前記軸孔３４に閉塞具の一方から突出する軸棒（図示せず）を通して、軸部３２を回転可能に装着するとともに、軸棒の先端を閉塞具の他方に係止させるように設けても構わない。
前記テープ３６の少なくとも一面は粘着面４０に形成することが望ましい。具体的には、（イ）テープ３６の基材の一面に形成した粘着層を帯状の剥離シート（図示せず）で覆ったものを、軸部３２の回りに巻き付けてもよく、
（ロ）テープ３６の基材の両面に粘着層を形成するとともに、その一面のみを剥離シートで覆ったものを、前記軸部３２の回りに巻き付けてもよく、
（ハ）テープ３６の基材の両面に粘着層を形成したものを、剥離シート無しで前記軸部３２の回りに巻きてもよい。
本実施形態では、前記テープ３６は、長手方向に一様に連続する通常のテープとしているが、長手方向に一定の長さでテープの幅方向に形成した切り離し線で区分し、区分された各テープ部分を、付箋としても形成してもよい。これら付箋は、長手方向の一端部裏面を粘着面とするとともに残りの部分を摘み部とすることで形成することができる。
【００２６】
本発明においては、前記テープ収納用筒壁８の外側に、前記スリット１２に沿って前記膨出部１４が付設されている。
この膨出部１４は、筒軸方向Ａから見て、片流れ形状に形成されている。片流れ形状とは、当該スリット１２に離れるに従って、図５（Ａ）に想像線で描くテープ収納用筒壁８の輪郭Ｐより側外方へ次第に膨らみ、最も膨出した箇所で内方へ反転して前記輪郭へ戻る形状をいうものとする。
当該膨出部１４は、図示例では、前記軸筒６の筒軸方向全長に形成している。もっともこの構造は適宜変更することができる。
前記膨出部１４の側外面は、前記スリット１２の一方孔縁ｂ１から前記軸筒６の筒径方向Ｒに対する斜め外方へ延びるテープ案内用斜面１５に形成されている。
またテープ案内用斜面１５の先端部１５ｂとテープ収納用筒壁８の外面との間にほぼ筒径方向Ｒに延びる段差面１７が形成されている。
テープ案内用斜面１５の先端部１５ｂと段差面１７との間には、筒軸方向Ａから見て、角部１６が形成されている。この角部は鋭角（９０度未満の角度）とすることができるが、直角又は鈍角に形成しても構わない。
図示例では、筒軸方向Ａから見たテープ案内用斜面１５の輪郭は緩いＳ字形を描いている。すなわち、前記スリットの一方端部１０と連続する基端部１５ａから周方向やや外側へ延び、そして先端部１５ｂに近づくと筒軸方向Ａに漸近するように形成されている。もっともこの形状は適宜変更することができる。
本実施形態の膨出部１４は、前記テープ収納用筒壁８の外側へ肉盛りした部位として、当該テープ収納用筒壁８と一体に形成されている。図示例では、材料を節減するために、図４（Ｂ）に示す如く、前記段差面１７の適所を凹ませて肉抜き部１４ａを形成している。もっともこれらの構造は、適宜変更することができ、例えば膨出部１４をテープ収納用筒壁８と別体に形成して、当該筒壁に組み付けたり、或いは接着などにより取り付けても構わない。
【００２７】
前記テープ案内用斜面１５の先端部には、カッターＣが付設されている。このカッターＣは、前記筒軸方向Ａのテープ案内用斜面１５の長さの全長に亘って形成することが望ましい。
図示例では、前記カッターＣを前記テープ収納用筒壁８の角部１６の先端の形状をギザギザにすることにより、テープ収納用筒壁８の一体物として形成している。もっとも予め別体物として形成したカッター刃を前記テープ案内用斜面１５の先端部にインサート成形などにより組み込んでも構わない。
【００２８】
また前記閉塞部材２０は、軸筒６の圧搾変形を規制する軸筒変形規制手段Ｉを有する。前記軸筒６は、軸筒方向全長に亘ってスリットを穿設しているために、軸筒６の強度や材質次第であるが、利用者が軸筒６を強く握ることにより、図５（Ｂ）に想像線で示す如く、軸筒６が、スリット１２を通る筒径方向に長く、楕円形に変形する可能性がある。そうなると、スリット１２が狭まり、テープを巻き出しにくくなる。こうした不都合を、軸筒変形規制手段Ｉを設けることで防止することができる。
図示例では、前記軸筒変形規制手段Ｉとして、前記短周壁２４ａ及び長周壁２４ｂの内面には前記スリット１２内へ挿入可能な回り留め突部２６ａ、２６ｂがそれぞれ付設されている。もっとも、この構造は、適宜変更することができる。例えば、前記回り留め突部に代えて、前記軸筒１１の端部１０を図示の小外径部から大内径部へ変更し、これら大内径部内へ、閉塞部材２０の短周壁２４ａ及び長周壁２４ｂの対応する端部を嵌合するように設けても構わない。
【００２９】
前記構成において、テープ３６を使用するときには、図５（Ａ）に示す如く、ロールテープ３０からスリット１２を介して軸筒６の外側へテープ３６を巻き出す。そして、外方へ巻き出されたテープの根元部分（スリット寄りの部分）を前記テープ案内用斜面１５の上に押し付け、当該テープ案内用斜面１５より先に延びたテープ部分を摘まんで内側へ引っ張ると、カッターＣがテープ３６に当接される。この状態で、テープ案内用斜面１５の先端部１５ｂとテープ収納用筒壁８の外面との間の段差を利用して、前記カッターＣでテープ３６を容易に切断することができる。
この状態で、テープ案内用斜面１５の上に押し付けられたテープ部分は、粘着面４０を介してテープ案内用斜面１５に付着する。従って、ロールテープ３０の不意の逆回転により、スリット１２から外方へ引き出されたテープ部分が、軸筒６内へ落ち込み、次のテープ取り出し操作ができないという不都合を回避できる。
【００３０】
図６（Ａ）及び図６（Ｂ）は、利用者の利き手に応じて、軸筒６の第１端部１０ａ及び第２端部１０ｂに対して、蓋体２０Ａ及びグリップ部材２０Ｂの取付け位置を変更する使用例を示す。これにより、利用者は、自分の利き手を使ってスムーズにテープ３６を切り取ることができる。
このような使い方をする理由を次に説明する。
本発明の構成では、スリット１２に隣接する箇所にテープ案内用斜面１５を含む膨出部１４を形成している。この膨出部１４は、利用者がペン型テープ収納具の一端側を把持してテープ収納スリット１２からテープ３６を引き出すときに、利用者の利き手側に位置していないと扱いにくい。軸筒６の両端部１０をそれぞれ閉塞する一対の閉塞具が同一形態であれば、利用者がペン型テープ収納具４を持つ箇所を替えれば足りるが、一方の閉塞具を、筒軸方向Ａにより長いグリップ部材２０Ｂに形成した場合には、グリップ部材２０Ｂを手前側に把持した状態で膨出部１４がスリット１２の右側にある右手仕様と、膨出部１４がスリット１２の左側にある左手仕様とができ、どちらを選んでも、それが利き手でない利用者にとって扱いにくくなってしまう。
本発明では、一対の閉塞具である蓋体２０Ａ及びグリップ部材２０Ｂを、軸筒６の両端部１０のどちらにも付け替えることができるようにして、前述の不便を解消したものである。
【符号の説明】
【００３１】
２…ペン型テープディスペンサー  ４…ペン型テープ収納具
６…軸筒  ８…テープ収納用筒壁  ９…筒孔
１０…端部  １０ａ…第１端部  １０ｂ…第２端部  １１…圧接リブ
１２…スリット  
１４…膨出部  １４ａ…肉抜き部  １５…テープ案内用斜面  １５ａ…基端部
１５ｂ…先端部  １６…角部  １７…段差面
２０…閉塞部材（閉塞具）  ２０Ａ…蓋体  ２０Ｂ…グリップ部材
２２ａ、２２ｂ…端壁  ２４ａ…短周壁  ２４ｂ…長周壁
２６ａ、２６ｂ…回り留め用突部
３０…ロールテープ  ３２…軸部  ３４…軸孔  ３６…テープ  ４０…粘着面 
Ａ…筒軸方向  ａ…筒軸  ｂ１、ｂ２…（スリットの）孔縁  Ｃ…カッター
Ｉ…軸筒変形規制手段  Ｐ…輪郭  Ｒ…筒径方向  
【図１】
2019210121.tif 000003
【図２】
2019210121.tif 000004
【図３】
2019210121.tif 000005
【図４】
2019210121.tif 000006
【図５】
2019210121.tif 000007
【図６】
2019210121.tif 000008